(57)【要約】【課題】グリル板を固定する固着具を取り外したり取り付けたりする際に、作業者がグリル板を手で押さえ付けなくても、作業することができる浴室装置を提供する。【解決手段】本発明の浴室装置１は、浴室の天井９に設置される装置本体２と、天井９に沿った状態で装置本体２の下方に配置されるグリル板４と、グリル板４を装置本体２に固定する固着具５と、固着具５が取り付けられていない状態でグリル板４を天井９に沿った姿勢で仮支持する支持部６とを備えている。【選択図】図１
2014005980.tif 000002
【特許請求の範囲】
【請求項１】
浴室の天井に設置される装置本体と、
前記天井に沿った状態で前記装置本体の下方に配置されるグリル板と、
前記グリル板を前記装置本体に固定する固着具と、
前記固着具が取り付けられていない状態で前記グリル板を前記天井に沿った姿勢で仮支持する支持部と
を備えている
ことを特徴とする浴室装置。
【請求項２】
前記支持部は、前記グリル板の自重よりも大きい荷重が下方に向かって掛けられると、その支持状態を解除するものである
ことを特徴とする請求項１記載の浴室装置。
【請求項３】
前記支持部は、
前記装置本体に設けられた係止部と、
前記グリル板に設けられて前記係止部に係合する被係止部と
を備え、
前記被係止部は、側方に膨出してその下端が前記係止部に位置規制される係止爪を有しており、
前記係止爪の上端には、前記係止部を当該係止爪の下端に導入するための傾斜部が設けられている
ことを特徴とする請求項１または請求項２のいずれかに記載の浴室装置。
【請求項４】
前記支持部は、
前記装置本体に設けられた係止部と、
前記グリル板に設けられて前記係止部に係合する被係止部と
を備え、
前記被係止部は、側方に膨出してその下端が前記係止部に位置規制される係止爪を有しており、
前記係止爪の下端は、膨出先端側に向かうほど上方に位置するよう傾斜しており、これにより、前記グリル板の自重よりも大きい荷重が下方に向かって掛けられると、前記係止部との係止状態を解除するものである
ことを特徴とする請求項１乃至請求項３のいずれか一項に記載の浴室装置。
【発明の詳細な説明】
【技術分野】
【０００１】
本発明は、浴室の天井に取り付けられる浴室装置に関する。
【背景技術】
【０００２】
従来、浴室の天井に取り付けられる浴室装置が知られている（例えば特許文献１参照）。この特許文献１には、天井に取り付けられた空調装置が記載されている。空調装置は、浴室の天井に固定される本体部と、本体部の下方に配置されるグリル板と、グリル板を天井に固定するための頭付きネジとを備えている。
【０００３】
グリル板には、複数の挿通孔が設けられている。本体部には、被螺合部が設けられている。被螺合部は、グリル板の挿通孔に対応する位置に配置されている。頭付きネジは、グリル板の下方から挿通孔に向かって挿入され、被螺合部にねじ込まれる。これにより、頭付きネジは、本体部とグリル板とを相互に固着し、グリル板を天井に固定する。
【先行技術文献】
【特許文献】
【０００４】
【特許文献１】特開２００１−２５４９６９号公報
【発明の概要】
【発明が解決しようとする課題】
【０００５】
ところでこの特許文献１記載のグリル板は、頭付きネジを取り外すと、そのまま重力にしたがって落下する。このため、作業者は、グリル板を取り外す際には、グリル板を手で天井に向かって押し上げながら、頭付きネジを取り外す必要がある。また、作業者は、グリル板を取り付ける際にも、グリル板を手で天井に向かって押し上げながら、頭付きネジをねじ込む必要がある。
【０００６】
本発明は、上記事情に鑑みてなされたものであり、その目的とするところは、グリル板を固定する固着具を取り外したり取り付けたりする際に、作業者がグリル板を手で押さえ付けなくても、作業することができる浴室装置を提供することにある。
【課題を解決するための手段】
【０００７】
本発明の浴室装置は、浴室の天井に設置される装置本体と、前記天井に沿った状態で前記装置本体の下方に配置されるグリル板と、前記グリル板を前記装置本体に固定する固着具と、前記固着具が取り付けられていない状態で前記グリル板を前記天井に沿った姿勢で仮支持する支持部とを備えていることを特徴とする。
【０００８】
またこの浴室装置において、前記支持部は、前記グリル板の自重よりも大きい荷重が下方に向かって掛けられると、その支持状態を解除するものであることが好ましい。
【０００９】
またこの浴室装置において、前記支持部は、前記装置本体に設けられた係止部と、前記グリル板に設けられて前記係止部に係合する被係止部とを備え、前記被係止部は、側方に膨出してその下端が前記係止部に位置規制される係止爪を有しており、前記係止爪の上端には、前記係止部を当該係止爪の下端に導入するための傾斜部が設けられていることが好ましい。
【００１０】
またこの浴室装置において、前記支持部は、前記装置本体に設けられた係止部と、前記グリル板に設けられて前記係止部に係合する被係止部とを備え、前記被係止部は、側方に膨出してその下端が前記係止部に位置規制される係止爪を有しており、前記係止爪の下端は、膨出先端側に向かうほど上方に位置するよう傾斜しており、これにより、前記グリル板の自重よりも大きい荷重が下方に向かって掛けられると、前記係止部との係止状態を解除するものであることが好ましい。
【発明の効果】
【００１１】
本発明のグリル板は、支持部により、固着具が取り付けられていない状態でも、天井に沿った姿勢で仮支持される。このため、本発明の浴室装置によれば、作業者は、グリル板を固定する固着具を取り外したり取り付けたりする際に、グリル板を手で押さえ付けなくても、着脱作業をすることができる。
【図面の簡単な説明】
【００１２】
【図１】実施形態１の浴室装置の分解斜視図である。
【図２】実施形態１の浴室の全体斜視図である。
【図３】実施形態１の浴室装置の概略側断面図である。
【図４】実施形態１の装置本体の底面図である。
【図５】実施形態１のグリル板の斜視図である。
【図６】実施形態１の支持部の斜め上方から見た要部断面図である。
【図７】実施形態１の支持部の正面から見た要部断面図である。
【図８】実施形態１の浴室装置において固着具を取り外した状態を示す側面図である。
【図９】実施形態２の支持部の斜め上方から見た要部断面図である。
【図１０】実施形態３の支持部の斜め上方から見た要部断面図である。
【発明を実施するための形態】
【００１３】
以下、本発明の実施形態について添付図面に基づいて説明する。
【００１４】
実施形態１の浴室装置１は、浴室の天井９に取り付けられる。本実施形態の浴室装置１は、ミスト機能付き浴室暖房乾燥機である。なお、浴室装置１としては、ミスト機能付き浴室暖房乾燥機に限らず、浴室暖房換気乾燥機であってもよいし、浴室乾燥機であってもよく、特に限定されない。
【００１５】
浴室は、天井９を有している。天井９は、浴室の内部の上側の面であり、天井板９１の下面により構成されている。図２に示されるように、浴室には浴槽９４が設けられている。なお、浴室は、ユニットバスであってもよい。また、浴室は、浴槽９４が設置されていないシャワールームであってもよい。
【００１６】
浴室装置１は、図１に示されるように、その下面が浴室内に臨むようにして配置される。浴室装置１は、天井スラブに固定された吊り金具９３を介して、吊り下げられている。浴室装置１は、装置本体２と、グリル板４とを備えている。
【００１７】
装置本体２は、本体ケーシング２１と、機能部３とを備えている。本体ケーシング２１は、下方に向かって開口した箱形状をしている。本体ケーシング２１の開口周縁には、フランジ部２２が設けられている。本体ケーシング２１は、装置本体２の外郭を形成する。機能部３は、図３に示されるように、暖房部３１と、換気部３２と、ミスト発生部３３とを備えている。機能部３は、本体ケーシング２１内に収容配置されている。
【００１８】
暖房部３１は、温風用熱交換器３１１と、循環流路３１２と、循環ファン３１３とを備えている。循環流路３１２は、吸込み口３１４と、吹き出し口３１５とを有している。吸込み口３１４と吹き出し口３１５とは、浴室内に臨んでいる。循環ファン３１３は、循環流路３１２内の空気を流通させる。温風用熱交換器３１１は、循環流路３１２内に配置されている。温風用熱交換器３１１は、熱源機７（図２参照）との間で熱媒が循環するよう暖房配管に接続されている。温風用熱交換器３１１は、循環流路３１２内を流通する空気と熱交換を行なう。これにより、暖房部３１は、吸込み口３１４を介して浴室内の空気を装置本体２内に取り込み、取り込んだ空気を温風用熱交換器３１１により加熱した上で、その温風を吹き出し口３１５を介して浴室内に吹き出す。
【００１９】
なお、吹き出し口３１５は、可動ルーバ３１６に設けられている。可動ルーバ３１６は、支持体３１７に回動自在に支持されている。支持体３１７は、本体ケーシング２１内に固定されている。
【００２０】
換気部３２は、換気ファン３２１と、排出路３２２とを備えている。排出路３２２は、吸込み口３２３と、排出部３２４とを備えている。吸込み口３２３は浴室内に臨んでいる。排出部３２４は、外部に連通している。換気ファン３２１は、排出路３２２内の空気を流通させる。換気部３２は、吸込み口３２３を介して浴室内の湿った空気を装置本体２内に取り込んだ上で、排出部３２４を介して外部に排出する。
【００２１】
ミスト発生部３３は、ミスト用熱交換器３３１と、配管部３３２と、ミストノズル３３３と、ミスト用弁３３４とを備えている。配管部３３２は、給水管とミストノズル３３３とを接続する。ミストノズル３３３の開口は、浴室内に臨んでいる。ミスト用熱交換器３３１は、熱源機７との間で熱媒が循環するよう暖房配管に接続されている。ミスト用熱交換器３３１は、配管部３３２を流通する水と熱交換を行なう。ミスト用弁３３４は、配管部３３２においてミストノズル３３３のすぐ上流側に接続されている。ミスト用弁３３４は、例えば、熱動弁により構成されている。これによりミスト発生部３３は、浴室内に温水ミストを噴出する。
【００２２】
図１に示されるように、天井９には取付開口９２が設けられている。取付開口９２は、天井板９１を上下方向に貫通する。装置本体２は、天井板９１の上方に配置されている。装置本体２のフランジ部２２は、取付開口９２の開口周縁の上面に当接する。装置本体２は、天井スラブに吊持された吊り金具９３を介して支持されている。言い換えると、装置本体２は、浴室の天井９に設置される。
【００２３】
なお、装置本体２のフランジ部２２と、天井板９１の上面との間には、パッキンが介装される。
【００２４】
装置本体２には、図４に示されるように、複数の取付部２３が設けられている。取付部２３は、固着具５を介してグリル板４を取り付けるために設けられている。取付部２３は、雌ねじ部２４を有している。雌ねじ部２４の中心軸は、上下方向に平行となっている。雌ねじ部２４は下方に開口している。この取付部２３は、例えば、本体ケーシング２１の側面、及び支持体３１７に設けられている。
【００２５】
グリル板４は、装置本体２の下方に配置される。グリル板４は、図５に示されるように、平面視矩形状をしている。グリル板４は、吸込み用開口４１と、吹き出し用開口４２とを備えている。吸込み用開口４１は、グリル板４が装置本体２に取り付けられると、暖房部３１の吸込み口３１４や換気部３２の吸込み口３２３に連通する。吹き出し用開口４２は、グリル板４が装置本体２に取り付けられると、装置本体２の吹き出し口３１５に連通する。
【００２６】
グリル板４は、固着具挿通孔４３を有している。固着具挿通孔４３は、装置本体２の取付部２３の雌ねじ部２４に対応する箇所に設けられている。図１に示されるように、固着具挿通孔４３には固着具５が挿通される。グリル板４は、装置本体２の下方に配置された状態で、固着具挿通孔４３に固着具５が挿通される。固着具５は、グリル板４の固着具挿通孔４３に挿通された状態で、雌ねじ部２４にねじ込まれる。これにより、グリル板４は、天井９に沿った状態で、装置本体２に取り付けられる。言い換えると、グリル板４は、天井９に沿った状態で前記装置本体２の下方に配置される。
【００２７】
固着具５は、例えば、ねじ具である。ねじ具は、雄ねじ部５１と、軸部５２と、頭部５３とを備えている。雄ねじ部５１は、装置本体２の雌ねじ部２４に螺合する。雄ねじ部５１は、軸部５２の軸方向の第一端から軸方向に沿って設けられている。頭部５３は、軸部５２の軸方向の第二端に設けられている。第二端は、第一端とは反対側に位置している。固着具５は、グリル板４を装置本体２に取り付ける。言い換えると、固着具５はグリル板４を天井９に固定する。
【００２８】
本実施形態の浴室装置１は、支持部６を備えている。支持部６は、固着具５が取り付けられていない状態のグリル板４を、天井９に沿った姿勢で仮支持する。支持部６は、図６に示されるように、装置本体２に設けられた係止部６１と、グリル板４に設けられた被係止部６３とを備えている。
【００２９】
係止部６１は、装置本体２に設けられている。より詳しく説明すると、係止部６１は、本体ケーシング２１内に固定された支持体３１７に一体に設けられている。また、係止部６１は、支持体３１７に設けられた取付部２３に隣接配置されている。係止部６１は、図１に示されるように、複数（本実施形態では２つ）設けられている。各係止部６１同士は、離間して配置されている。
【００３０】
各係止部６１は、図６に示されるように、一対の係止片６２を有している。係止片６２は、互いに離間している。各係止片６２は、一方向に長く形成されており、互いに平行となっている。係止部６１は、係止片６２の長手方向の両端が連結されることで、平面視ロ字状となっている。係止部６１には、下方から被係止部６３を挿入することができるようになっている。
【００３１】
被係止部６３は、グリル板４に一体成形されている。被係止部６３は、グリル板４の上面において、装置本体２の係止部６１に対応する箇所に設けられている。被係止部６３は、グリル板４の上面から上方に向かって突出している。被係止部６３は、弾性片６４と、係止爪６５とを備えている。係止爪６５は、弾性片６４の上端に設けられている。
【００３２】
弾性片６４は、図７に示されるように、一対設けられている。弾性片６４は、互いに離間して配置されている。具体的に、弾性片６４同士は、約８ｍｍの隙間を介して設けられている。弾性片６４は、互いに近づく方向に向かって弾性変形することができるようになっている。弾性片６４は、グリル板４の上面から上方に向かって突出している。
【００３３】
係止爪６５は、弾性片６４の上端に設けられている。係止爪６５は、側方に膨出している。弾性片６４に設けられた各係止爪６５は、その膨出先端が互いに離れる方向に臨んでいる。係止爪６５は、位置規制部６６と、傾斜部６７とを備えている。
【００３４】
位置規制部６６は、係止爪６５の下端に設けられている。位置規制部６６は、係止片６２に引っ掛かるようになっている。これにより、係止爪６５は、下方への移動が規制される。言い換えると、被係止部６３は、下方に抜け落ちないよう係止部６１に係止される。
【００３５】
位置規制部６６は、係止爪６５の膨出先端側に向かうほど上方に位置するよう傾斜している。また、弾性片６４は弾性変形することができる。これにより、被係止部６３は、係止部６１との係合状態において、下方に向かって所定以上の荷重が掛けられると、弾性片６４が互いに近づく方向に弾性変形しながら、係止爪６５が互いに近づく方向に移動し、係止部６１との係止状態が解除されるようになっている。
【００３６】
なお、被係止部６３は、グリル板４の自重以下の荷重が掛けられたときには、係止状態が解除されない（係止状態を維持する）。一方、被係止部６３は、グリル板４の自重よりも大きい荷重が掛けられると、係止状態を解除する。言い換えると、支持部６は、グリル板４の自重よりも大きい荷重が下方に向かって掛けられると、その支持状態を解除する。
【００３７】
傾斜部６７は、係止爪６５の上端に設けられている。傾斜部６７は、膨出先端側に向かうほど下方に位置するよう傾斜している。被係止部６３は、傾斜部６７に係止片６２が押し付けられると、対向する弾性片６４同士が互いに近づく方向に弾性変形しながら係止爪６５が互いに近づく方向に移動する。これにより、係止片６２は、係止爪６５の下端に導入される。言い換えると、傾斜部６７は、係止片６２を係止爪６５の下端に導入するために設けられている。
【００３８】
装置本体２にグリル板４を取り付けるには、次のようにして行なう。
【００３９】
天井９の上方には装置本体２が固定されている。作業者は、グリル板４を装置本体２の下方から上方に向かって持ち上げる。このとき、作業者は、装置本体２の係止部６１に、グリル板４の被係止部６３を挿入するようにして押し上げる。すると、装置本体２の係止部６１に、グリル板４の被係止部６３が係止され、これにより、グリル板４が天井９に沿った姿勢で仮支持される。
【００４０】
次いで、作業者は、固着具５をグリル板４の固着具挿通孔４３に挿入してねじ込む。これにより、グリル板４は、装置本体２に固定される。
【００４１】
次に、装置本体２からグリル板４を取り外すには、次のようにして行なう。
【００４２】
作業者は、固着具５を取り外す。固着具５を全て取り外すと、グリル板４は、重力に従って落下しようとするが、支持部６により仮支持された状態であるため、天井９に沿った姿勢のまま落下しない。この状態で、作業者はグリル板４を下方に引き下げる。作業者がグリル板４を下方に引き下げると、被係止部６３と係止部６１との係合状態が解除され、これにより、グリル板４が天井９から取り外される。
【００４３】
なお、固着具５が全て取り外された状態では、図８に示すように、グリル板４は、天井９から少しだけ下方に移動する。これにより、天井９とグリル板４との間に僅かな隙間が形成され、作業者はグリル板４を掴み易いようになっている。
【００４４】
以上説明したように、本実施形態の浴室装置１は、装置本体２と、グリル板４と、固着具５と、支持部６とを備えている。装置本体２は、浴室の天井９に固定される。グリル板４は、天井９に沿った状態で装置本体２の下方に配置される。固着具５は、グリル板４を天井９に固定する。支持部６は、固着具５が取り付けられていない状態で、グリル板４を天井９に沿った姿勢で仮支持する。
【００４５】
このように本実施形態の浴室装置１は、固着具５とは別に、支持部６により、グリル板４を支持することができるため、作業者が固着具５を取り外した場合でも、グリル板４の落下を防ぐことができる。
【００４６】
なお、装置本体２とグリル板４とを紐で連結すれば、固着具５を取り外した際のグリル板４の落下を防ぐことができるが、グリル板４を取り付けるときに、紐が、装置本体２とグリル板４との間に挟まってしまうことがある。このように、装置本体２とグリル板４とを紐で連結する構造では、作業性がよくないという問題がある。また、この構造の浴室装置は、作業者が現地において、装置本体２とグリル板４とを紐で連結する必要があるため、つなぎ忘れが発生する可能性がある。
【００４７】
これに対し、本実施形態の浴室装置１は、支持部６が、装置本体２に設けられた係止部６１と、グリル板４に設けられて係止部６１に係合する被係止部６３とを備えている。被係止部６３は、係止爪６５を有している。係止爪６５の上端には、係止部６１をこの係止爪６５の下端に導入するための傾斜部６７が設けられている。
【００４８】
このため、グリル板４を下方から天井９に向かって押し上げるだけで、装置本体２に設けられた係止部６１と、グリル板４に設けられた被係止部６３とを係止させることができる。また、仮に取り付ける際に係止部６１と被係止部６３とが正常に係止していなくても、固着具５をねじ込んで、装置本体２とグリル板４とを螺合するだけで、確実に係止部６１と被係止部６３とを係止させることができる。すなわち本実施形態の浴室装置１によれば、従来の構造のように、紐の繋ぎ忘れの問題や、紐が装置本体２とグリル板４との間に挟まってしまうという問題を解消することができる。
【００４９】
また、本実施形態の浴室装置１の支持部６は、グリル板４の自重よりも大きい荷重が下方に向かって掛けられると、その支持状態を解除するものである。
【００５０】
このため本実施形態の浴室装置１によれば、グリル板４を落下しないようにできるだけでなく、グリル板４を取り外す場合には、グリル板４を引き下げるだけで、簡単に取り外すことができる。
【００５１】
また、本実施形態の被係止部６３は、係止爪６５を有している。係止爪６５は、側方に膨出してその下端が係止部６１に位置規制される。係止爪６５の下端は、膨出先端側に向かうほど上方に位置するよう傾斜している。これにより被係止部６３は、グリル板４の自重よりも大きい荷重が下方に向かって掛けられると、前記係止部６１との係止状態を解除するものである。
【００５２】
このように本実施形態の浴室装置１によれば、係止爪６５の下端に傾斜を設けるという簡単な構造で、グリル板４を落下しないようにするだけでなく、グリル板４を取り外す場合には、グリル板４を引き下げるだけで、簡単に取り外すことができる構造とすることができる。
【００５３】
次に、実施形態２について図９に基づいて説明する。なお、本実施形態は実施形態１と大部分について同じ構造であるため、同じ部分においては同符号を付して説明を省略し、主に異なる部分について説明する。
【００５４】
本実施形態の浴室装置１は、支持部６の構造が実施形態１とは異なっている。本実施形態のその他の構造は、実施形態１のものと同じである。
【００５５】
支持部６は、装置本体２に設けられた係止部６１と、グリル板４に設けられた被係止部６３とを備えている。
【００５６】
係止部６１は、一対の係止片６２を有している。係止片６２は、互いに離間している。各係止片６２は、係止片６２の並設方向に幅を有している。係止片６２は、対向する係止片６２側に向かうほど、上方に位置するよう傾斜している。
【００５７】
被係止部６３は、係止爪６５を有している。係止爪６５は、側方に膨出している。係止爪６５の上端には、実施形態１の係止爪６５のような傾斜部６７は設けられていない。係止爪６５の下端（位置規制部６６）は、膨出先端側に向かうほど上方に位置するよう傾斜している。
【００５８】
装置本体２に向かってグリル板４が押し上げられると、係止部６１に被係止部６３が挿入される。その後、被係止部６３は、係止片６２の傾斜に沿って上昇し、各被係止部６３同士が互いに近づく方向に向かって弾性変形する。これにより、被係止部６３は、係止部６１に係合する。
【００５９】
グリル板４が、所定の荷重（グリル板４の自重よりも大きな荷重）で下方に引き下げられると、被係止部６３の下端が係止部６１に押圧され、被係止部６３同士が互いに近づく方向に向かって弾性変形する。これにより、被係止部６３と係止部６１との係止状態が解除される。
【００６０】
次に、実施形態３について図１０に基づいて説明する。なお、本実施形態は実施形態１と大部分について同じ構造であるため、同じ部分においては同符号を付して説明を省略し、主に異なる部分について説明する。
【００６１】
浴室装置１は、支持部６の構造が実施形態１とは異なっている。本実施形態のその他の構造は、実施形態１のものと同じである。
【００６２】
支持部６は、装置本体２に設けられた係止部６１と、グリル板４に設けられた被係止部６３とを備えている。
【００６３】
係止部６１は、一対の係止片６２を有している。係止片６２は、互いに離間している。各係止片６２は、係止片６２の並設方向に幅を有している。係止片６２は、対向する係止片６２側に向かうほど、下方に位置するよう傾斜している。
【００６４】
被係止部６３は、係止爪６５を有している。係止爪６５は、側方に膨出している。係止爪６５の上端には、傾斜部６７が設けられている。なお、係止爪６５の下端は、実施形態１の係止爪６５のように傾斜していない。
【００６５】
装置本体２に向かってグリル板４が押し上げられると、係止部６１に被係止部６３が挿入される。その後、被係止部６３同士は、互いに近づく方向に係止片６２により押圧されながら上昇し、これにより、被係止部６３同士は互いに近づく方向に向かって弾性変形する。これにより、被係止部６３は、係止部６１に係合する。
【００６６】
グリル板４が、所定の荷重（グリル板４の自重よりも大きな荷重）で下方に引き下げられると、被係止部６３の下端が、傾斜した係止部６１に押圧され、被係止部６３同士が互いに近づく方向に向かって弾性変形する。これにより、被係止部６３と係止部６１との係止状態が解除される。
【００６７】
なお、実施形態１〜３の被係止部６３は、弾性片６４と係止爪６５とを対向するよう一対備えていたが、本発明の浴室装置１においては、弾性片６４と係止爪６５とは１つであってもよい。
【００６８】
また、実施形態１〜３の固着具５は、グリル板４を装置本体２に取り付けるものであったが、本発明において固着具５は、グリル板４を天井９に、直接取り付けるものであってもよい。
【符号の説明】
【００６９】
１      浴室装置
２      装置本体
２１    本体ケーシング
２３    取付部
２４    雌ねじ部
４      グリル板
４３    固着具挿通孔
５      固着具
６      支持部
６１    係止部
６２    係止片
６３    被係止部
６４    弾性片
６５    係止爪
６６    位置規制部
６７    傾斜部
９      天井
９１    天井板
９２    取付開口
【図１】
2014005980.tif 000003
【図２】
2014005980.tif 000004
【図３】
2014005980.tif 000005
【図４】
2014005980.tif 000006
【図５】
2014005980.tif 000007
【図６】
2014005980.tif 000008
【図７】
2014005980.tif 000009
【図８】
2014005980.tif 000010
【図９】
2014005980.tif 000011
【図１０】
2014005980.tif 000012